(57)【要約】【課題】人に対して送風する運転モードと室内の温度ムラを解消する運転モードによる送風が可能な扇風機を提供する。【解決手段】本発明の扇風機本体は、周囲の温度を検知する温度検知手段としての赤外線センサー５と、赤外線センサー５からの検知温度を受けて、人に向けて送風する第１の運転モードと室内の温度ムラを解消する第２の運転モードを制御し、かつ前記第１の運転モードと前記第２の運転モードとを切り替える運転モード制御部２６と、を備えた構成となっている。【選択図】図７
2015224603.tif 000002
【特許請求の範囲】
【請求項１】
周囲の温度を検知する温度検知手段と、
前記温度検知手段からの検知温度を受けて、人に向けて送風する第１の運転モードと室内の温度ムラを解消する第２の運転モードを制御し、かつ前記第１の運転モードと前記第２の運転モードとを切り替える運転モード制御部と、を備えたことを特徴とする扇風機。
【請求項２】
前記第１の運転モードは、前記温度検知手段によって人を検知し、人に向けてのみ送風する構成としたことを特徴とする請求項１記載の扇風機。
【請求項３】
前記第２の運転モードは、前記温度検知手段によって温度ムラを検知し、前記温度ムラがある場所へ向けて送風する構成としたことを特徴とする請求項１記載の扇風機。
【請求項４】
前記第１の運転モードは広がる風を送風し、前記第２の運転モードは直進性の風を送風する構成としたことを特徴とする請求項１〜３のいずれか１項に記載の扇風機。
【請求項５】
送風部と、
前記送風部を首振り運動させる首振り装置と、
前記首振り装置を駆動させる駆動源と、
前記送風部の首振り速度および角度を制御する制御部と、
人を検知する人検知手段と、を備えた扇風機において、
前記制御部が、前記人検知手段の検知結果に基づいて前記送風部の首振り速度と首振り角度を制御する構成としたことを特徴とする扇風機。
【請求項６】
前記駆動源がステッピングモータであることを特徴とする請求項５記載の扇風機。
【発明の詳細な説明】
【技術分野】
【０００１】
本発明は、複数の運転モードを切り替え可能な扇風機に関する。
【背景技術】
【０００２】
従来、温度センサーによって使用者の皮膚温を測定し、その測定温度に応じて風量を調節して使用者へ送風する機能を備えた扇風機が知られている（特許文献１）。
【０００３】
また、人体探知手段によって人体（使用者）の移動を検知し、風向を人体の移動に追随させる機能を備えた扇風機も知られている（特許文献２）。
【先行技術文献】
【特許文献】
【０００４】
【特許文献１】特開平５−１７２０９５号公報
【特許文献２】特開平７−１８０６９３号公報
【発明の概要】
【発明が解決しようとする課題】
【０００５】
近年、省エネなどの要請から、エアコンによって室内温度を調整し、扇風機の送風により室内の空気を循環させて、室内に生じる温度差を軽減すると共に、エアコンによって温度調整された空気を人に送風するという扇風機の使用方法が推奨されている。
【０００６】
また、室内に複数の人が居る場合には、扇風機の送風部を首振り運動させて送風することになるが、その際に、送風部が使用者の居ない場所を向いて送風している時間が無駄であり、その時間を短くしてそれぞれの人に対して効率よく送風することが望まれる。
【０００７】
しかしながら、上記特許文献１に開示された扇風機では、使用者に対して送風する風量を調節するのみで、室内に生じる温度差である温度ムラの解消を効率よくできないという問題があった。
【０００８】
また、上記特許文献２に開示された扇風機は、使用者が一人の場合にはその人に対して効率よく送風することができるが、室内に複数の人が居て、それぞれの人が離れた場所に居る場合には、人と人との間の誰も居ない場所に対しても同様に送風するため効率がよくないという問題があった。
【０００９】
そこで、本発明は上記問題点に鑑み、使用者である人に向けて送風する運転モードと、室内の温度ムラがある場所に向けて送風する運転モードとを切替え可能な扇風機を提供することを第１の目的とする。
【００１０】
また、本発明は、複数の人に対して効率よく無駄のない首振り送風運転を可能とする扇風機を提供することを第２の目的とする。
【課題を解決するための手段】
【００１１】
請求項１の発明では、周囲の温度を検知する温度検知手段と、人に向けて送風する第１の運転モードと室内の温度ムラを解消する第２の運転モードを制御し、かつ前記第１の運転モードと前記第２の運転モードとを切り替える運転モード制御部と、を備えた構成を有している。
【００１２】
請求項２の発明では、前記第１の運転モードは、前記温度検知手段によって人を検知し、人に向けてのみ送風する構成を有している。
【００１３】
請求項３の発明では、前記第２の運転モードは、前記温度検知手段によって温度ムラを検知し、前記温度ムラがある場所へ向けて送風する構成を有している。
【００１４】
請求項４の発明では、前記第１の運転モードは広がる風を送風し、前記第２の運転モードは直進性の風を送風する構成を有している。
【００１５】
請求項５の発明では、送風部と、前記送風部を首振り運動させる首振り装置と、前記首振り装置を駆動させる駆動源と、前記送風部の首振り速度および角度を制御する制御部と、人を検知する人検知手段と、を備えた扇風機において、前記制御部が、前記人検知手段の検知結果に基づいて前記送風部の首振り速度と首振り角度を制御する構成を有している。
【００１６】
請求項６の発明では、前記駆動源をステッピングモータとする構成を有している。
【発明の効果】
【００１７】
請求項１の発明によれば、第１の運転モードにより人に向けて送風することができ、第２の運転モードにより室内の温度ムラを解消することがでる。また、第１の運転モードと第２の運転モードを切り替えることができる。
【００１８】
請求項２の発明によれば、温度センサーによって人を検知し、その人に対して送風することができる。
【００１９】
請求項３の発明によれば、温度センサーによって室内の温度ムラを検知し、その温度ムラがある場所に向けて送風することができる。
【００２０】
請求項４の発明によれば、人に向けて送風する第１の運転モードでは広がる風を送風して、当たりの柔らかい風を送風することができる。また、温度ムラのある場所に向けて送風する第２の運転モードでは、温度ムラのある場所に集中的に風を送風して温度ムラを解消することができる。
【００２１】
請求項５の発明によれば、送風部の首振り運転時に人が居ないところに向けて送風している時間を短縮し、人の居ないところに向けて送風するという無駄を軽減することができる。
【００２２】
請求項６の発明によれば、送風部の首振り速度と角度を的確に設定することができる。
【図面の簡単な説明】
【００２３】
【図１】本発明の第１実施例を示す扇風機本体の斜視図である。
【図２】同上、扇風機本体の正面図である。
【図３】同上、扇風機本体の右側面図である。
【図４】同上、送風部を右方向に向けた扇風機本体の斜視図である。
【図５】同上、送風部を上方に向けた扇風機本体の斜視図である。
【図６】同上、扇風機本体の動作を説明するフローチャートである。
【図７】同上、扇風機本体の構成を示すブロック図である。
【図８】第１実施例の赤外線センサーの検知視野および測定温度を示す図である。
【図９】第１実施例のファンの正面図である。
【図１０】同上、ファンの背面図である。
【図１１】同上、ファンの斜視図である。
【図１２】同上、ファンを含む扇風機本体の要部縦断面図である。
【図１３】本発明の第２実施例を示す扇風機本体の送風状態を示す図である。
【図１４】第２実施例のファンガードの要部の斜視図である。
【図１５】第２実施例のファンの回転方向に対する桟の形状の違いと、風速分布との関係を示したグラフである。
【図１６】第２実施例の変形例である前ガード組立て体の正面図である。
【図１７】同上、前ガード組立て体の背面図である。
【図１８】同上、図１６や図１７とは異なる桟の形状の前ガード組立て体の正面図である。
【図１９】同上、図１８の前ガード組立て体の背面図である。
【図２０】本発明の第３実施例を示す扇風機本体の斜視図である。
【図２１】同上、扇風機本体の構成を示すブロック図である。
【発明を実施するための形態】
【００２４】
以下、添付図面を参照しつつ、本発明における扇風機の好ましい実施例を説明する。なお、以下に示す各実施例で、共通する箇所には共通する符号を付し、共通する部分の説明は重複を避けるため極力省略する。
【実施例１】
【００２５】
図１〜図５は、本発明の第１実施例における扇風機本体１の外観を示している。これらの各図においては、２は室内の床面などに載置されるベース、３はベース２から上方に向かう支柱、４は風を送り出す送風部で、送風部４の上面前側には、人や室内の壁などの温度を検知する温度検知手段としての赤外線センサー５が設けられ、支柱３の上端部と送風部４との間には、送風部４を任意の方向に首振り運動させるための首振り装置６が装備されている。
【００２６】
ベース２は、その外形が平面視でほぼ円形をなす扁平状に形成され、前方上面には複数のキーやボタンによる操作部７と、ＬＥＤなどの表示体による表示部８が設けられている。また、ベース２の側面前側には、遠隔操作体としてのリモコン（図示せず）からの信号を受ける受光部９が設けられている。
【００２７】
支柱３は、首振り装置６を含めた送風部４を昇降させる昇降装置をなすもので、ベース２の後方上面から垂直に延びる筒状の支柱基部１０と、この支柱基部１０の内側に上下摺動自在に組み付けられた摺動杆１１とからなり、支柱基部１０の上部後方に設けたロック釦１２を、図示しない弾性体の付勢力に抗して押動することにより、支柱基部１０と摺動杆１１との係合が解除されて、送風部４や首振り装置６を支持する摺動杆１１が、支柱基部１０に対して上下に摺動するようになっている。
【００２８】
なお、上記扇風機本体１とリモコンとにより、本実施例における扇風機が構成される。
【００２９】
送風部４は、送風駆動部２８とこの送風駆動部２８により回転駆動されるファン１４と、ファン１４を覆う網状のガードであるファンガード１５とからなる。本実施例では、送風駆動部２８としてＤＣ（直流）モータを用いる。
【００３０】
また、送風部４の送風駆動部２８は、前側を開口した駆動部カバー１６により覆われており、この駆動部カバー１６の開口周縁にファンガード１５が取り付けられる。また、ファンガード１５の上面前側には、赤外線センサー５が設けられている。赤外線センサー５は、例えば、対象物から放射される赤外線を受けると、入射エネルギー量に応じた熱起電力を発生して、対象物の温度を検知するサーモパイル型の赤外線センサーを使用する。
【００３１】
本実施例では、特に送風部４の駆動源としてＡＣ（交流）モータではなく、ＤＣモータを採用しているので、ファン１４の回転数を任意に変更することができる。
【００３２】
以上のような構成の本実施例に係る扇風機の動作について、図６に示すフローチャートに基づいて説明する。まず、本実施例の扇風機本体１は、操作部７またはリモコンを操作により電源がオンされたか否かを検出し（Ｓ１）、電源がオンされた場合（Ｙｅｓ）には、赤外線センサー５が図８に示す検知視野２１を複数の範囲に分割した分割範囲２２ごとの温度を検知する（Ｓ２）。全ての分割範囲２２の検知が終了すると、全ての分割範囲２２の温度の平均値が算出される（Ｓ３）。次に、算出された平均値と各分割範囲２２との温度差の絶対値（以下、Ａ値という）を算出し（Ｓ４）、Ａ値が予め設定された規定値以上か否かの判定がなされる（Ｓ５）。Ａ値が規定値以下の場合（Ｎｏ）には、温度ムラがないと判断され、再度分割範囲２２ごとの温度の検知がなされる（Ｓ２）。一方、Ａ値が規定値以上の場合（Ｙｅｓ）には、温度ムラがあると判断され、送風部４による送風が開始される（Ｓ６）。送風部４による送風中も分割範囲２２ごとの温度が検知され（Ｓ７）、全ての分割範囲２２の温度の平均値が算出される（Ｓ８）。そして、算出された平均値と各分割範囲２２との温度からＡ値を算出（Ｓ９）し、Ａ値が規定値以上か否かの判定がなされる（Ｓ１０）。Ａ値が規定値以上の場合（Ｙｅｓ）には送風が継続され（Ｓ６）、Ａ値が規定値以下の場合（Ｎｏ）には送風が停止される（Ｓ１１）。送風が停止された後、電源がオフにされたか否かを検出し（Ｓ１２）、電源オフを検出した場合（Ｙｅｓ）には、扇風機本体１の動作が完全に停止し、電源オフが検出されない場合（Ｎｏ）には、再度分割範囲２２ごとの温度の検知が開始される（Ｓ２）。
【００３３】
次に、本実施例の扇風機本体１の構成を図７に示すブロック図に基づいて説明する。扇風機本体１の内部に設けられた制御部１７は、操作部７の操作情報や受光部９が受けたリモコンからの通信情報に基づいて、扇風機本体１の動作を制御する。
【００３４】
制御部１７は、赤外線センサー５が測定した温度情報を保存する記憶部２３と、記憶部２３に保存された温度情報から平均温度やＡ値を算出する演算部２４と、演算部２４で算出したＡ値が規定値以上であるか否かを判定する判定部２５と、判定部２５の判定結果に基づいて運転モードを選択し、駆動部１８に対して制御情報を送出する運転モード制御部２６を備えている。
【００３５】
また、扇風機本体１の内部には、運転モード制御部２６により制御される駆動部１８が設けられている。駆動部１８は、送風部４の首振り運動の駆動源である首振り駆動部２７と、ファン１４の回転運動の駆動源である風量駆動部２８と、送風部４が送り出す風の幅を切り替える手段である風幅切替駆動部２９とを備えている。
【００３６】
さらに、ベース２の上面には、扇風機本体１の動作状態をＬＥＤなどの点灯によって表示する表示部８が設けられている。
【００３７】
次に、扇風機本体１の具体的な動作について説明する。まず、使用者が操作部７またはリモコンを操作して扇風機本体１の電源をオンにすると、表示部８に電源オン状態を示す表示がなされる。
【００３８】
また、電源オンと同時に上述のように赤外センサー５が分割範囲２２の温度検知を開始する。赤外線センサー５は、検知視野２１内に存在する人、物、床、壁などの温度を測定するが、室内に人が居る時と居ない時の測定について、図８に基づいて具体的に説明する。なお、図８（Ａ）は室内に人が居ない状態を示し、図８（Ｂ）は室内に人が一人居る状態を示している。
【００３９】
まず、赤外線センサー５は、検知視野２１を複数の分割範囲２２に分割する。図８（Ａ），（Ｂ）ではａ〜ｈ、ｉ〜ｐのそれぞれ８つの分割範囲２２に分割されている。赤外線センサー５によって測定された各分割範囲２２の測定結果を同図の表に表示する。
【００４０】
次に、検知した温度値は分割範囲２２の位置情報と対応させて、制御部１７内の記憶部２３に保存される。位置情報は、例えば図８に示すａ〜ｐのように割り当てられる。その後、制御部１７内の演算部２４において、記憶部２３に保存された全ての分割範囲２２の温度の平均値が算出される。図８（Ａ）の温度平均値は、22.39[℃]であり、図８（Ｂ）の温度平均値は、22.69[℃]である。
【００４１】
そして、記憶部２３に保存された各分割範囲２２の温度と演算部２４で算出された温度の平均値の温度差の絶対値であるＡ値が算出される。ａ〜ｐのＡ値は、図８（Ａ），（Ｂ）の表に示す通りである。
【００４２】
その後、制御部１７内の判定部２５においてＡ値が規定値以上であるか否か判定される。Ａ値が規定値以上である場合には温度ムラがあると判断され、規定値未満である場合には温度ムラがないと判断される。規定値は、予め任意の値に設定可能であるが、本実施例は規定値を1.0と設定する。したがって、図８（Ａ），（Ｂ）の中で規定値以上と判定されるのは、位置情報ｌの分割範囲２２となる。
【００４３】
ここで、送風部４の上下方向の角度および赤外線センサー５の検知視野２１の範囲から、温度ムラがあると判断された分割範囲２２が所定の高さ、例えば送風部４を正面に向けた時の赤外線センサー５の高さよりも低い位置である場合には、温度ムラを生じさせている対象が人であると判断され、所定の高さよりも高い位置である場合には、温度ムラを生じさせている対象がエアコン３１であると判断される。図８（Ａ），（Ｂ）は、送風部４が下方を向いた状態での検知視野２１を示しており、位置情報ｌの分割範囲２２の温度ムラを生じさせている対象は人であると判断される。
【００４４】
そして、対象が人であると判断した場合には、制御部１７内の運転モード制御部２６において、第１の運転モードが選択され、第１の運転モードでの送風を行うための制御情報が運転モード制御部２６から制御部１８に送出され、第１の運転モードでの送風が開始される。一方、対象がエアコン３１であると判断された場合には、運転モード制御部２６において、第２の運転モードが選択され、第２の運転モードでの送風を行うための制御情報が運転モード制御部２６から制御部１８に送出され、第２の運転モードでの送風が開始される。
【００４５】
第１の運転モードは、赤外線センサー５が温度差により人を検知した位置情報に該当する分割範囲２２に向けて送風するように送風部４を首振り運動させ、時間と共に送風量が変化するリズム風による送風を行なう。また、広がる風を送り出すことにより自然風のような心地よい風を送ることができる。
【００４６】
これに対して、第２の運転モードは、赤外線センサー５が温度差によりエアコン２６を検知した位置情報に該当する分割範囲２２に向けて送風部４の首振り運動をせずに直進性の風を送る。このように、温度ムラが生じている範囲に向けて直進性の風を送ることにより、その範囲の空気が撹拌されて、温度ムラを改善することができる。
【００４７】
ここで、広がる風と直進性の風の切り替えについて説明する。図９〜図１２は、本実施例におけるファン１４の外観を示している。ここでのファン１４は、軸流型の第１羽根部４１と、第１羽根部４１よりも直径の小さな斜流型の第２羽根部４２を組み合わせた構成を有している。回転ボス４３の中心には、送風駆動部２８の回転軸２８Ａ（図１２を参照）と連結する金属製の連結部４４が、ゴム製のダンパーとなる弾性部材４５を介してファン１４に取付け固定される。また、連結部４４を取り囲むようにして、回転ボス４３には複数の風洞４６を有する第２羽根部４２が配設される。
【００４８】
第２羽根部４２の各風洞４６は何れも同一形状で、回転ボス４３の後面に吸気口４７を有すると共に、回転ボス４３の前面に排気口４８を有し、吸気口４７よりも排気口４８がファン１４の外周側に、且つファン１４の回転方向Ｓに対して逆方向に配置されている。また、隣り合う風洞４６，４６を区画する第１翼４９は、ファン１４の回転方向Ｓに対して順方向に膨出しているのに対し、プロペラ形状をなす第１羽根部４１の第２翼５０は、ファン１４の回転方向Ｓに対して逆方向に膨出している。ここでの第２羽根部４２は、軸方向に吸い込んだ空気を斜め前方に送り出す斜流型ファンの形態を有するが、軸方向に吸い込んだ空気を横方向（遠心方向）に送り出す遠心型ファンの形態を有していてもよい。
【００４９】
図１２は、上述したファン１４を含む扇風機本体１の要部の縦断面図である。同図において、駆動部カバー１６の前面と後面は、送風部４のファン１４の後方から第２羽根部４２の吸気口４７に空気を取り入れるための通気孔５１，５２がそれぞれ設けられる。また５３は、第２羽根部４２の吸気口４７を開閉するために、この吸気口４７に対向して配置された通気孔５１の開閉を切替える開閉手段としてのシャッターである。このシャッター５３は、手動もしくは電動で動作が可能であり、本実施例では駆動部カバー１６の内部で移動可能に設けられているが、吸気口４７への空気の進入を可能にし、または遮断するものであれば、どのような構造でどの位置に設けられていても構わない。ここでは、斜流型の第２羽根部４２が駆動部カバー１６の前面に対向して配置される一方で、軸流型の第１羽根部４１は駆動部カバー１６の外方に配置される。その他、５４はＤＣファンモータ１３の回転軸１３Ａに螺着して、ファン１４を回転軸１３Ａに取付け固定するスピンナーである。
【００５０】
そして本実施例では、操作部７や付属のリモコンを操作して、運転の開始を指示すると、ＤＣファンモータ１３への電力供給によってファン１４が所定の回転方向Ｓに回転し、ファン１４の後方から第１羽根部４１に吸い込まれた風が、ファン１４の軸方向に沿って前方に流れ、直進性のある風が第１羽根部４１から送り出される。
【００５１】
ここで、通気孔５１を開放する位置にシャッター５３が移動していると、図１２の白抜き矢印で示したように、ファン１４の回転に伴って、通気孔５２から駆動部カバー１６の内部を通り、別な通気孔５１から第２羽根部４２の後方に形成された吸気口４７へ向かう風の流れが、扇風機本体１の内部で形成される。これにより、第２羽根部４２の吸気口４７に吸い込まれた風は風洞４６を通過し、ファン１４の軸方向に対して斜め前方に流れ、第１羽根部４１の排気口４８から送り出され、第１羽根部４１から送り出される風とぶつかって、広がりのある風を扇風機本体１の正面から提供することが可能になる。
【００５２】
それに対して、通気孔５１を閉じる位置にシャッター５３が移動していると、図１２の白抜き矢印で示した風の流れが遮断され、ファン１４の第１羽根部４１から直線性のある風だけが送り出される。したがって、シャッター５３の切替え動作により、通気孔５１ひいては第２羽根部４２の吸気口４７を閉じた場合には、ファン１４の全体から直進性のある風が送り出され、第２羽根部４２の吸気口４７を開いた場合には、ファン１４の全体から横方向に広がる風を送り出すことができる。
【００５３】
以上のように、本実施例では、周囲の温度を検知する温度検知手段としての赤外線センサー５と、赤外線センサー５からの検知温度を受けて、人に向けて送風する第１の運転モードと室内の温度ムラを解消する第２の運転モードを制御し、かつ前記第１の運転モードと前記第２の運転モードとを切り替える運転モード制御部２６と、を備えている。
【００５４】
この場合、人に向けて送風する場合には、自然で心地よい風を送ることができ、室内の温度ムラを解消する場合には、温度ムラのある場所に向けて送風することにより温度ムラを解消することができる。また、２つの運転モードを切り替え可能としていることから、使用用途に適応した送風をすることができる。
【００５５】
また、本実施例では、第１の運転モードは、赤外線センサー５によって人を検知し、人に向けてのみ送風する構成となっている。
【００５６】
この場合、送風部４を首振り運動させても人が居ない場所へは送風を行わず、人が居る場所に対してのみ自然で心地よい風を送ることができる。
【００５７】
また、本実施例では、第２の運転モードは、赤外線センサー５によって温度ムラを検知し、温度ムラがある場所へ向けて送風する構成となっている。
【００５８】
この場合、温度ムラがある場所に向けて的確に送風し、短時間で温度ムラを解消することができる。
【００５９】
また、本実施例では、第１の運転モードは広がる風を送風し、第２の運転モードは直進性の風を送風する構成となっている。
【００６０】
この場合、人に対しては、あたりの柔らかい自然で心地よい風を送ることができ、温度ムラがある場所には、直進性の風を送ることにより温度ムラを短時間で解消することができる。
【実施例２】
【００６１】
本発明の第２実施例は、第１の運転モードと第２の運転モードをエアコン３１の運転と連動させたものである。したがって、本実施例では、エアコン３１による温度ムラを検知すればよく、赤外線センサー５による温度測定は検知視野２１の所定の高さ、例えば送風部４を正面に向けた時の赤外線センサー５の高さよりも高い位置のみを検知する。
【００６２】
図１３は、夏場と冬場の室内でのエアコン３１の温度分布と扇風機の送風状態を示しており、夏場の室内の壁や床の温度は約２５度〜３０度、冬場の室内の壁や床の温度は約１５度〜２０度に想定してある。
【００６３】
夏場は、エアコン３１を冷房運転させるため、エアコン３１が冷風を送風している時は、エアコン３１の吹出口３２付近が周囲の壁や天井の温度と比べて低くなる。したがって、赤外線センサー５により分割範囲２２の温度を測定すると、エアコン３１の吹出口３２に割り当てられた分割範囲２２の温度が全ての分割範囲２２の温度の平均値よりも一定値以上低くなる。この場合、判定部２５においてエアコン３１が冷房運転していると判断される。
【００６４】
そして、エアコン３１が冷房運転をしていると判断した場合には、運転モード制御部２６からの制御情報に基づいて第１の運転モードによる送風を行い、エアコン３１によって冷却された空気を人に対して心地よい風を送ることができる。第１の運転モードは、送風部４を首振り運動させずに、エアコン３１の吹出口３２から送風された冷風に向けて送風してもよいし、送風部４を首振り運動させて、室内の床付近に対して広い範囲で送風を行うものとしてもよい。
【００６５】
一方、冬場は、エアコン３１を暖房運転させるため、エアコン３１が温風を送風している時は、エアコン３１の吹出口３２付近が壁や天井の周囲の温度と比べて高くなる。したがって、赤外線センサー５により分割範囲２２の温度を測定すると、エアコン３１の吹出口３２に割り当てられた分割範囲２２の温度が全ての分割範囲２２の温度の平均値よりも一定値以上高くなる。この場合、判定部２５においてエアコン３１が暖房運転していると判断される。
【００６６】
そして、エアコン３１が暖房運転をしていると判断した場合には、運転モード制御部２６からの制御情報に基づいて第２の運転モードにより送風を行い、天井３６付近に溜まった暖気を撹拌して人の居住空間である床面付近に移動させることができる。第２の運転モードは、送風部４を首振り運動させずに、エアコン３１の吹出口３２に向けて送風させてもよいし、送風部４を首振り運動させて室内の天井３６付近に対して広く送風を行うものとしてもよい。
【００６７】
本実施例では、第１の運転モードと第２の運転モードの切替えを、判定部２５の判定に基づいて運転モード制御部２６が駆動部１８に送出することにより自動で行っているが、使用者が操作部７またはリモコンを操作して手動で切り替えてもよい。
【００６８】
また、図１４〜図１９は本発明の第２実施例におけるファンガード１５を示している。ファンガード１５は、ファン１４の前側を覆う前ガード６１とファン１４の後側を覆う後ガード６２に分割可能な構成を有している。前ガード６１の骨部６３や外周部（図示せず）が金属のワイヤーである一方で、後ガード６２は合成樹脂として構成されている。また、前ガード６１が内接する送風切替えユニット６４を設け、後ガード６２の強度を確保するために、送風切替えユニット６４が後ガード６２の内側に嵌合する構成となっている。
【００６９】
送風切替えユニット６４は、合成樹脂で形成されており、前ガード６１を装着して構成される前ガード組立て体６５が、後ガード６２の前端開口に対してリバーシブルに着脱可能に設けられている。そして、前ガード組立て体６５と後ガード６２とにより、ガードとなるファンガード１５が構成される。また、後ガード６２の周縁部６６に形成された骨部６３は、ファンガード１５の前後方向ではなく周方向に沿って、それぞれ適宜間隔を有して配置される。
【００７０】
送風切替えユニット６４は、前ガード６１の外周部を嵌合保持する中空円形の外周枠６７と、外周枠６７の中心に位置し、前ガード６１の中心部に取付けられる円形基部６８と、前ガード６１の骨部６３に対向し、円形基部６８の外周から外周枠６７に向けて、渦巻き状の隙間を形成するように配置された複数の曲線形の桟６９とにより構成される。従って、本実施例における前ガード６１とは、実質的に前ガード６１や桟６９を含む前ガード組立て体６５となる。
【００７１】
そして本実施例では、操作部７やリモコンを操作して、運転の開始を指示すると、風量駆動部２８への電力供給によってファン１４が所定の回転方向Ｓに回転し、後ガード６２を通してファン１４の後方から吸い込まれた風が、ファン１４の軸方向に沿って前方に流れ、前ガード組立て体６５を通して送風部４から送風が行なわれる。
【００７２】
この場合、図１４に示すように、桟６９の基端から外周に向けた曲線形状が、ファン１４の回転方向Ｓに対して逆方向となるように、前ガード組立て体６５を後ガード６２に装着すると、ファン１４から前ガード組立て体６５に向けて送り出された風が、桟６９，６９の間を通過する際にさほど拡散しなくなり、前ガード６１の隙間を通して前ガード組立て体６５の前方から直進性を有する風を送り出すことができる。一方、桟６９の基端から外周に向けた曲線形状が、ファン１４の回転方向Ｓに対して順方向となるように、前ガード組立て体６５を後ガード６２に装着すると、桟６９，６９の間を通過する際に拡がって、前ガード６１の隙間を通して前ガード組立て体６５の前方から拡散した風を送り出すことができる。つまりここでは、後ガード６２に対して前ガード組立て体６５をリバーシブルに着脱可能にする手段が、桟６９の形状をファン１４の回転方向Ｓに対して順方向と逆方向に切替える切替え手段として設けられている。
【００７３】
図１５は、前ガード組立て体６５に設けた渦巻き状リブとしての桟６９の形状を、ファン１４の回転方向Ｓに対して順方向に向けた「渦巻き右方向（ファン回転方向）」の場合と、ファン１４の回転方向Ｓに対して順方向に向けた「渦巻き右方向（ファン回転逆方向）」の場合に、扇風機本体１の前方６０ｃｍで、ファン１４の中心からの測定距離で風速がどのように分布しているのかをグラフで示している。この測定結果から、「渦巻き右方向（ファン回転方向）」の場合には、「渦巻き右方向（ファン回転逆方向）」の場合よりも、風が拡散して送り出されているのがわかる。
【００７４】
また、図１６〜図１９は、別な変形例の前ガード組立て体６５を示している。ここでの前ガード組立て体６５は、桟６９の形状をファン１４の回転方向Ｓに対して順方向と逆方向に切替える切替え手段として、各桟６９の基端と先端が、それぞれ円形基部６８と外周枠６７に回動自在に取付けられていると共に、蓋７０と円形基部６８が同軸で回動可能に取付けられており、蓋７０を回動操作するのに伴い、桟６９の曲線形状が変化するように構成されている。
【００７５】
そしてこの変形例では、図１６や図１７に示すように、桟６９の基端から外周に向けた曲線形状が、ファン１４の回転方向Ｓに対して順方向となるように、蓋７０を手動で回動操作すると、ファン１４から前ガード組立て体６５に向けて送り出された風が、桟６９，６９の間を通過する際に拡がって、前ガード６１の隙間を通して前ガード組立て体６５の前方から拡散した風を送り出すことができる。一方、図１８や図１９に示すように、桟６９の基端から外周に向けた曲線形状が、ファン１４の回転方向Ｓに対して逆方向となるように、蓋７０を手動で回動操作すると、ファン１４から前ガード組立て体６５に向けて送り出された風が、桟６９，６９の間を通過する際にさほど拡散しなくなり、前ガード６１の隙間を通して前ガード組立て体６４の前方から直進性を有する風を送り出すことができる。また、このような風の切替えは、ファンガード１５の外側から蓋７０を操作するだけで可能になるため、後ガード６２から前ガード組立て体６５を着脱する手間も省ける。
【００７６】
以上のように本実施例では、回転するファン１４と、ファン１４を覆う網状のガードであるファンガード１５とを備えた扇風機において、ファンガード１５は、ファン１５の前面に対向して配置される前ガード組立て体６５に複数の同一形状の桟６９を設けており、桟６９の曲線形状を、ファン１５の回転方向Ｓに対して順方向と逆方向に切替える切替え手段を備えている。
【００７７】
この場合、ファン１５の回転速度を変えて風の強弱を変更するのではなく、前ガード組立て体６５に設けた桟の形状を切替え手段によって切替えることで、桟６９の形状がファン１４の回転方向Ｓに対して順方向に向いている場合は、前ガード組立て体６５で風を拡散して広がる風を送り出すことができ、また桟６９の形状がファン１４の回転方向Ｓに対して逆方向に向いている場合は、前ガード組立て体６５から直進性の風を送り出すことが可能になる。従って、扇風機として広がる風と直進性の風を切替えて送り出すことが可能になる。
【実施例３】
【００７８】
図２０は、本発明の第３実施例に係る扇風機本体１を示しており、送風部４の上面前側に人の存在の有無を検知する人検知手段である人感センサー７１を備えたものである。本実施例の人感センサー７１には、焦電型赤外線センサーを使用しているが、人を検知できるものであればその他のものであってもよい。
【００７９】
本実施例の扇風機本体１の動作について、図２１に示すブロック図に基づいて説明する。人感センサー７１は、人の体温から検知視野２１内における人の有無、数、位置を検知し、その検知結果は扇風機本体１内に設けられた検知結果処理部７２において運転モード制御部７３への送出情報に処理される。運転モード制御部７３は扇風機本体１の内部に設けられており、検知結果処理部７２からの情報を受けると、その情報に基づいて駆動源である送風駆動部７４を駆動させて送風部４による送風を開始させる。
【００８０】
人感センサー７１は、検知視野２１内に人が存在すると、室内の壁などの背景温度と人の表面温度との温度差に対応した信号が得られるようになっており、その信号が検知結果処理部７２に送出されると、検知結果処理部７２において検知視野２１内における人の位置が特定される。この位置情報が運転モード制御部７３へ送出され、人の位置情報に対応した送風がなされる。
【００８１】
検知した人が一人の場合には、運転モード制御部７３から送風駆動部７４に一人の人に対応する角度で送風部４を一定の速度で首振り運動させるように制御情報が送出される。また、一人の人に送風する場合には、首振り速度を一定とするように制御情報が送出される。
【００８２】
これに対して、検知した人が複数の場合には、運転モード制御部７３から送風駆動部７４に対して、人が居る範囲全てに送風するように送風部４が首振り運動するように制御情報が送出される。また、人感センサー７１が人を感知しない場所に送風部４が向いている時は首振り速度を速くし、人を感知する場所に送風部４が向いている時は首振り速度を一定にするように制御情報が送出される。
【００８３】
本実施例の送風駆動部７４には、ステッピングモータが使用されており、運転モード制御部７３から適切なパルス駆動信号を与えるだけで、送風部４の首振り速度や首振り角度を簡単に調整することができる。
【００８４】
以上のように、本実施例では、送風部４と、送風部４を首振り運動させる首振り装置６と、首振り装置６を駆動させる駆動源としての送風駆動部７４と、送風部４の首振り速度および角度を制御する制御部としての運転モード制御部７３と、人を検知する人検知手段としての人感センサー７１と、を備えた扇風機において、運転モード制御部７３が、人感センサー７１の検知結果に基づいて送風部４の首振り速度と首振り角度を制御する構成となっている。
【００８５】
この場合、人感センサー７１で人の位置情報を取得し、取得した位置情報に基づいて送風部４が人の居る場所と居ない場所へ向いている時の送風部４の首振り速度を変更することにより、人の居ない場所への送風時間を短縮し、首振り送風運転の無駄を減らすことができる。
【００８６】
また、本実施例では、送風駆動部７４にステッピングモータを用いた構成となっている。
【００８７】
この場合、送風部４の首振り速度や首振り角度を簡単に調整することができ、人感センサー７１と組み合わせることにより、無駄のない首振り送風運転を行うことができる。
【００８８】
なお、本発明は上記各実施例に限定されるものではなく、本発明の趣旨を逸脱しない範囲で種々の変更が可能である。例えば、首振り角度・速度や風量は使用者が適宜設定することができるようにしてもよい。
【符号の説明】
【００８９】
４  送風部
５  赤外線度センサー（温度検知手段）
６  首振り装置
１７  制御部
２６  運転モード制御部
６１  人感センサー（人検知手段）
６４  送風駆動部（駆動源）
【図１】
2015224603.tif 000003
【図２】
2015224603.tif 000004
【図３】
2015224603.tif 000005
【図４】
2015224603.tif 000006
【図５】
2015224603.tif 000007
【図６】
2015224603.tif 000008
【図９】
2015224603.tif 000009
【図１０】
2015224603.tif 000010
【図１１】
2015224603.tif 000011
【図１４】
2015224603.tif 000012
【図１５】
2015224603.tif 000013
【図１６】
2015224603.tif 000014
【図１７】
2015224603.tif 000015
【図１８】
2015224603.tif 000016
【図１９】
2015224603.tif 000017
【図２０】
2015224603.tif 000018
【図２１】
2015224603.tif 000019
【図７】
2015224603.tif 000020
【図８】
2015224603.tif 000021
【図１２】
2015224603.tif 000022
【図１３】
2015224603.tif 000023